(57)【要約】【課題】従来の放射冷暖房装置では天井面全体が冷却または加熱されるため、人のいない場所や家具などが置いてある部分など不必要な空間まで空調されていた。【解決手段】前記従来の課題を解決するために本発明の放射冷暖房装置は、天井裏の空気流路の各入口部分に開閉シャッターを設置して任意に開閉できるようにし、天井放射下に人がいない場合や家具がおいてある部分などは開閉シャッターを閉じて、天井が冷却または加熱されなようにし、省エネ効果を図る。【選択図】図１
2008051419.tif 000002
【特許請求の範囲】
【請求項１】
放射パネル裏面の空気流路に冷温風空気を流し、冷却または加熱された前記放射パネルの放射で室内を空調する放射冷暖房装置であって、前記空気流路を任意で開閉できるようにしたことを特徴とした放射冷暖房装置。
【請求項２】
人体位置検知手段で人の動きをセンシングし、自動で空気流路を開閉できるようにしたことを特徴とした請求項１に記載の放射冷暖房装置。
【請求項３】
空気流路開閉部の材質を吸水材料にしたことを特徴とした請求項１または２に記載の放射冷暖房装置。
【発明の詳細な説明】
【技術分野】
【０００１】
本発明は、放射パネル裏面の循環風路に冷温風空気を流し、放射パネルを冷却または加熱し、放射パネルの放射で室内を空調する放射冷暖房装置に関するものである。
【背景技術】
【０００２】
従来、この種の放射冷暖房装置は、空調機から天井裏空間に吹き出した空調空気により、小孔を複数個設けた天井放射パネルは冷却または加熱され、放射によって室内空間を空調する。また同時に、天井裏空間の冷温風空気の一部が小孔から室内空間へ吹出し、放射と対流の併用により室内空間の空調を行う（例えば、特許文献１参照）。
【０００３】
図４は、特許文献１に記載された従来の天井放射冷暖房装置の断面図を示すものである。図４に示すように、空調機２０から天井裏空間Ｂに吹き出した空調空気により、小孔１０ａを複数個設けた天井放射パネル１０は冷却または加熱され、放射によって室内空間Ａを空調する。また同時に、天井裏空間Ｂの冷温風空気の一部が小孔１０ａから室内空間Ａへ吹出し、放射と対流の併用により室内空間Ａの空調が行われる。
【特許文献１】特開平６−１７４２６１号公報
【発明の開示】
【発明が解決しようとする課題】
【０００４】
しかしながら、前記従来の放射冷暖房装置では天井面全体が冷却または加熱されるため、人のいない所や家具を置いてあるところまでも放射空調されるといった問題があった。たとえば家具のおいてあるところはその部分の上は天井放射冷房または暖房は必要なく、睡眠時などは放射場所はたとえばベッドといったように特定されるため、従来の放射冷暖房方法では不必要な空間まで空調されるという課題を有していた。
本発明は、前記従来の課題を解決するもので、不必要な空間の空調をすることなく、リビングや寝室など生活シーンにあった天井放射空調が可能になる、省エネが可能になる放射冷暖房装置を提供することを目的とする。
【課題を解決するための手段】
【０００５】
前記従来の課題を解決するために本発明の放射冷暖房装置は、天井裏の空気流路を任意に開閉できるようにし、天井放射パネル下に人がいない場合や家具がある場合は空気流路部分の天井パネルが冷却または加熱されなようにしたものである。これにより不必要な部分の天井放射をなくすことができ、省エネに効果がある。
【０００６】
また本発明の放射冷暖房装置は、室内に人体位置検知手段を設置し、一定時間移動しなかったら「睡眠している」と判断し、人のいない天井裏の空気流路のシャッターを自動で閉じるようにしたものである。また、睡眠後に放射冷暖房装置をわざわざ停止することもないため、消し忘れなどがなくなり、煩わしい空気流路の開閉動作を行う必要がなくなり、省エネに効果がある。
【０００７】
また本発明の放射冷暖房装置は、天井裏の空気流路の開閉部に吸水材料を使用したものである。これにより、運転時の結露もほとんどなく、天井裏の風路内のカビの繁殖が防止され天井裏が清潔に保たれる。
【発明の効果】
【０００８】
本発明の放射冷暖房装置は、省エネ効果や天井放射装置の電源切り忘れ、またカビ発生防止などの効果がある。
【発明を実施するための最良の形態】
【０００９】
第１の発明は、天井裏の空気流路の各入口部分に開閉シャッターを設置して任意に開閉できるようにし、天井放射パネル下に人がいない場合や家具などが置いてある場合は空気流路部分の天井パネルが冷却または加熱されなようにしたものである。これにより不必要な部分の天井放射をなくすことができ、省エネにも効果がある。
【００１０】
第２の発明は、室内に人体位置検知手段を設置し、一定時間移動しなかったら「睡眠している」と判断し、人のいない天井裏の空気流路のシャッターを自動で閉じるようにしたものである。これにより、煩わしい空気流路の開閉シャッターの開閉動作行う必要がなくなる。
第３の発明は、天井裏の空気流路の開閉シャッターに吸水材料を使用したものである。これにより、運転時の結露もほとんどなく、天井裏の空気流路内のカビの繁殖が防止され清潔に保たれる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における放射冷暖房装置を設置した時の天井部断面図、図２は空気流路シャッター部分の拡大図を示すものである。
【００１３】
図１において、Ａは室内空間、１は放射冷暖房装置、２は空調機、３ａは吹出し側空気流路、３ｂは天井裏空気流路、３ｃは吸込み側空気流路、４は天井放射パネル、５は空気流路シャッターで構成している。
【００１４】
以上のように構成された放射冷暖房装置１について、以下その動作、作用を説明する。
【００１５】
まず、空調機２により冷却または加熱された空調空気が吹出し側空気流路３ａ、天井裏空気流路３ｂ、吸込み側空気流路３ｃを通過して、天井放射パネル４を冷却または加熱し天井放射パネル４の放射が始まる。冷却または加熱された天井放射パネル４は人や家具などの有無に関係なく部屋全体に放射し、室内空間Ａを空調することになる。このように天井放射パネルの下に家具などがある場合、不必要な部分へ放射冷房または放射暖房をしていることになり放射エネルギーのロスとなる。
【００１６】
このように天井放射パネル４の下に家具などがある場合、天井裏流路３ｂの空気流路シャッター５の一部を閉じることで、家具上の天井裏流路３ｂに空調空気が流れなくなり、天井パネル４も冷却または暖房されなくなり天井放射もされなく、不必要なエネルギーロスもなくなる。
【００１７】
尚、本実施の形態では、天井裏空気流路３ｂは複数の並行した流路に分岐しているが、流路の分岐方法はこれに限定されるものではない。
【００１８】
以上のような構成にすることで、不必要な部分の天井放射をなくし、省エネ効果のある天井放射空調が可能となる。
【００１９】
（実施の形態２）
図３は、本発明の第２の実施の形態における放射冷暖房装置を設置した時の天井部断面図を示すものである。図３において、Ａは室内空間、１は放射冷暖房装置、２は空調機、３ａは吹出し側空気流路、３ｂは天井裏空気流路、３ｃは吸込み側空気流路、４は天井放
射パネル、５は空気流路シャッターで６は人体位置検知手段である。
【００２０】
以上のように構成された放射冷暖房装置１について、以下その動作、作用を説明する。まず、空調機２により冷却または加熱された空調空気が吹出し側空気流路３ａ、天井裏空気流路３ｂ、吸込み側空気流路３ｃを通過して、天井放射パネル４を冷却または加熱し天井放射パネル４の放射が始まる。人体位置検知手段６は人が、たとえばベッドのような一定場所で一定時間活動がなければ「睡眠している」と判断し、自動で天井放射パネル４の下に人がいない部分の空気流路シャッター５を閉じ、不必要な部分の天井放射パネル４の放射を止める。これにより部屋容積に対し天井放射面積が少なくなるため、たとえば冷房の場合、天井表面温度は室温を維持するため低下する。しかし、睡眠している場合、天井温度を下げたままでいると寒く不快に感じたり、風邪をひく原因になるので、天井温度は下げる必要はないので省エネになる。
【００２１】
（実施の形態３）
本発明の第３に実施の形態は特に図には示さないが、空気流路シャッター５の材料に吸水材料を使用したものである。この空気流路シャッター５をたとえばアルミやステンレスなどの金属の場合、暖房運転している時、空気流路シャッター５を閉じ、室温が低下してくると露点以下になり空気流路シャッター５の表面が結露してくるため、空気流路シャッター５の材質を吸水材料に代えることで表面が結露しても空気流路シャッター５が吸水し結露はなくなり耐食性が超寿命化するとともに空気流路シャッター５の開閉が可能となり、省エネに通じる。
【産業上の利用可能性】
【００２２】
以上のように本発明は、省エネ且つ無気流で睡眠時に風邪をひかない放射冷暖房装置である。
【図面の簡単な説明】
【００２３】
【図１】本発明の実施の形態１における放射冷暖房装置の天井部断面図
【図２】空気流路シャッター部分の拡大図
【図３】本発明の実施の形態２における放射冷暖房装置の天井部断面図
【図４】従来の天井放射冷暖房装置の断面図
【符号の説明】
【００２４】
Ａ  室内空間
Ｂ  天井裏空間
１  放射冷暖房装置
２、２０  空調機
３ａ  吹出し側空気流路
３ｂ  天井裏空気流路
３ｃ  吸込み側空気流路  
４、１０  天井放射パネル
５  空気流路シャッター
６  人体位置検知手段
１０ａ  小孔
【図１】
2008051419.tif 000003
【図２】
2008051419.tif 000004
【図３】
2008051419.tif 000005
【図４】
2008051419.tif 000006